(57)【要約】【課題】複数の信号を含む信号が受信される場合に、その複数の信号の受信タイミング差等を推定すること。【解決手段】推定装置は、複数の信号の受信タイミングの差の大きさと、その複数の信号を含む信号の周期自己相関の値のピークの出現パターンとの対応関係を記憶しておき、無線信号を観測し、無線信号について、周期自己相関の値を導出し、無線信号について導出された周期自己相関の値と記憶されている対応関係とに基づいて、無線信号に含まれる複数の信号の受信タイミングの差を推定する。【選択図】  図３
2016139858.tif 000002
【特許請求の範囲】
【請求項１】
複数の信号の受信タイミングの差の大きさと、当該複数の信号を含む信号の周期自己相関の値のピークの出現パターンとの対応関係を記憶する記憶手段と、
無線信号を観測する観測手段と、
前記無線信号について、周期自己相関の値を導出する導出手段と、
前記無線信号について導出された周期自己相関の値と前記記憶手段に記憶された前記対応関係とに基づいて、前記無線信号に含まれる複数の信号の受信タイミングの差を推定する推定手段と、
を有することを特徴とする推定装置。
【請求項２】
前記複数の信号の特性を特定する特定手段をさらに有し、
前記記憶手段は、前記複数の信号の特性ごとに、前記受信タイミングの差の大きさと、前記出現パターンとの対応関係を記憶し、
前記推定手段は、特定された前記特性と、前記無線信号について導出された周期自己相関の値と、前記記憶手段に記憶された前記対応関係とに基づいて、前記無線信号に含まれる複数の信号の受信タイミングの差を推定する、
ことを特徴とする請求項１に記載の推定装置。
【請求項３】
前記推定手段は、前記記憶手段に記憶された前記出現パターンのうち、前記無線信号について導出された周期自己相関の値のピークの出現パターンとの差が最小または所定値以下となる１つのパターンを特定し、当該１つのパターンとの前記対応関係を有する受信タイミングの差を、前記無線信号に含まれる複数の信号の受信タイミングの差として特定する、
ことを特徴とする請求項１又は２に記載の推定装置。
【請求項４】
前記推定手段は、記憶された前記出現パターンにおけるピークの絶対値と、前記無線信号について導出された周期自己相関の値のピークの絶対値とを比較して、前記無線信号に含まれる複数の信号の受信タイミングの差を推定する、
ことを特徴とする請求項１から３のいずれか１項に記載の推定装置。
【請求項５】
前記記憶手段は、前記複数の信号の電力比ごとに、前記受信タイミングの差の大きさと、前記出現パターンとの対応関係を記憶し、
前記推定手段は、前記無線信号について導出された周期自己相関の値と前記記憶手段に記憶された前記対応関係とに基づいて、さらに、前記無線信号に含まれる複数の信号の電力比を推定する、
ことを特徴とする請求項１から４のいずれか１項に記載の推定装置。
【請求項６】
推定された前記無線信号に含まれる複数の信号の受信タイミングの差を、前記複数の信号の送信元の装置の少なくともいずれかに通知する通知手段をさらに有し、
前記複数の信号の送信元の装置の少なくともいずれかは、通知された前記受信タイミングの差に基づいて、信号の送信タイミングを制御する、
ことを特徴とする請求項１から５のいずれか１項に記載の推定装置。
【請求項７】
複数の信号の受信タイミングの差の大きさと、当該複数の信号を含む信号の周期自己相関の値のピークの出現パターンとの対応関係を記憶する記憶手段と、無線信号を観測する観測手段と、を有する推定装置の制御方法であって、
導出手段が、前記無線信号について、周期自己相関の値を導出する導出工程と、
推定手段が、前記無線信号について導出された周期自己相関の値と前記記憶手段に記憶された前記対応関係とに基づいて、前記無線信号に含まれる複数の信号の受信タイミングの差を推定する推定工程と、
を有することを特徴とする制御方法。
【請求項８】
複数の信号の受信タイミングの差の大きさと、当該複数の信号を含む信号の周期自己相関の値のピークの出現パターンとの対応関係を記憶する記憶手段と、無線信号を観測する観測手段と、を有する推定装置に備えられたコンピュータに、
前記無線信号について、周期自己相関の値を導出する導出工程と、
前記無線信号について導出された周期自己相関の値と前記記憶手段に記憶された前記対応関係とに基づいて、前記無線信号に含まれる複数の信号の受信タイミングの差を推定する推定工程と、
を実行させるためのプログラム。
【発明の詳細な説明】
【技術分野】
【０００１】
本発明は、受信した無線信号に含まれる複数の信号の、受信タイミング差等の関係を推定する技術に関する。
【背景技術】
【０００２】
移動体通信において、マクロセルの通信可能エリア内において、ピコセルなどのスモールセルを利用するシステムが検討されている（非特許文献１参照）。ＯＦＤＭ（直交周波数分割多重）をこのようなシステムに適用し、マクロセルとスモールセルとで異なる周波数リソース（例えばＬＴＥにおけるリソースブロック）が用いられる場合について検討する。この場合、マクロセル及びスモールセルの各々からの複数の信号を受信するタイミングの差がサイクリックプリフィックスの長さ以下の範囲に収まらないと、端末での受信処理において、その複数の信号の少なくともいずれかの直交性が崩れ、受信性能が劣化する。また、端末は、基地局からの受信信号の受信タイミングに応じて上りリンクの信号の送出タイミングを決定するため、マクロセル及びスモールセルの各々からの複数の信号を受信するタイミングの差が大きいと、送信信号においても直交性を担保できない。したがって、マクロセルとスモールセルとからの受信信号の受信タイミングの差を十分に小さく抑えることが重要となる。
【先行技術文献】
【非特許文献】
【０００３】
【非特許文献１】小西  聡  他、“ＴＤＭ型干渉制御手法を適用したピコ局混在型ＨｅｔＮｅｔにおける下りリンクの性能評価”、電子情報通信学会総合大会、Ｂ−５−７３、２０１１年３月
【発明の概要】
【発明が解決しようとする課題】
【０００４】
マクロセルとスモールセルとからの受信信号の受信タイミングの差を十分に小さく抑えるためには、マクロセルとスモールセルとからの信号を観測して、マクロセルまたはスモールセルの基地局にその観測結果を通知することが必要となる。しかしながら、マクロセルとスモールセルとからの信号の少なくともいずれかを十分な電力で測定できない場合、信号が十分な電力で受信できないため、受信タイミングを特定するのは容易ではなくなる。
【０００５】
本発明は、このような背景に鑑みてなされたものであり、複数の信号を含む信号が受信される場合に、その複数の信号の受信タイミング差等を推定することを可能とすることを目的とする。
【課題を解決するための手段】
【０００６】
上記目的を達成するため、本発明による推定装置は、複数の信号の受信タイミングの差の大きさと、当該複数の信号を含む信号の周期自己相関の値のピークの出現パターンとの対応関係を記憶する記憶手段と、無線信号を観測する観測手段と、前記無線信号について、周期自己相関の値を導出する導出手段と、前記無線信号について導出された周期自己相関の値と前記記憶手段に記憶された前記対応関係とに基づいて、前記無線信号に含まれる複数の信号の受信タイミングの差を推定する推定手段と、を有する。
【発明の効果】
【０００７】
本発明によれば、複数の信号を含む信号が受信される場合に、その複数の信号の受信タイミング差等を推定することが可能となる。
【図面の簡単な説明】
【０００８】
【図１】無線通信システムの概念図を示す図。
【図２】推定装置のハードウェア構成例を示すブロック図。
【図３】推定装置の機能構成例を示すブロック図。
【発明を実施するための形態】
【０００９】
以下、添付図面を参照して本発明の実施の形態を詳細に説明する。
【００１０】
（システム構成）
図１は、本実施形態に係る無線通信システムの概念図を示している。本無線通信システムは、一例として、マクロセル基地局１０１と端末１０２とが通信する無線通信ネットワーク１００と、スモールセル基地局１０３と端末１０２とが通信する無線通信ネットワーク１０４とを含む。端末１０２は、マクロセル基地局１０１からの信号の受信タイミングに応じた送信タイミングで、マクロセル基地局１０１へ信号を送信する。また、端末１０２は、スモールセル基地局１０３からの信号の受信タイミングに応じた送信タイミングで、スモールセル基地局１０３へ信号を送信する。このとき、送信信号がＯＦＤＭ（直交周波数分割多重）信号であるとすると、マクロセル基地局１０１へ信号を送信する送信タイミングと、スモールセル基地局１０３へ信号を送信する送信タイミングとが一致するようにすることが重要である。すなわち、マクロセル基地局１０１へ送信する信号と、スモールセル基地局１０３へ送信する信号とが、互いに直交し、干渉しないようにすることが重要である。
【００１１】
したがって、マクロセル基地局１０１からの信号の受信タイミングとスモールセル基地局１０３からの信号の受信タイミングとが一致又はその差が所定値以下となるのが望ましい。このため、端末１０２は、マクロセル基地局１０１からの信号とスモールセル基地局１０３からの信号とを観測して受信タイミングの差を推定し、その結果をマクロセル基地局１０１とスモールセル基地局１０３との少なくともいずれかに通知するべきである。マクロセル基地局１０１とスモールセル基地局１０３との少なくともいずれかは、受信タイミングの差の推定結果の通知を受けると、送信タイミングをその推定結果に応じてずらすことで、端末１０２における受信タイミングの差が所定値以下となる。その結果、例えば、端末１０２の、マクロセル基地局１０１及びスモールセル基地局１０３への信号の送信タイミングを一致させることが可能となり、信号の伝送品質の劣化を抑えることが可能となる。
【００１２】
このような制御を行うためには、端末１０２が、マクロセル基地局１０１からの信号の受信タイミングとスモールセル基地局１０３からの信号の受信タイミングとの差を推定する推定装置を含むことが必要となる。ここで、マクロセル基地局１０１からの信号とスモールセル基地局１０３からの信号との受信電力レベルが同等である場合、又は、これらの信号の少なくともいずれかの無線品質が低い場合、信号の受信タイミングの差を特定するのは容易ではなくなる。信号の復調等の処理を行うことが容易ではなくなるからである。
【００１３】
そこで、本実施形態の端末１０２は、復調等の処理を伴わずに、複数の信号を含む観測信号について、周期自己相関の値を導出して、その周期自己相関の値のピークの出現パターンに応じて、信号の受信タイミングの差を推定する。ここで、周期自己相関の値とは、Ｃｙｃｌｉｃ  Ａｕｔｏｃｏｒｒｅｌａｔｉｏｎ  Ｆｕｎｃｔｉｏｎ（ＣＡＦ、周期自己相関信号）の値のことである。ＣＡＦの計算式は、
2016139858.tif 000003
によって与えられる。ここで、αはサイクリック周波数であり、τはラグパラメータである。ＣＡＦは、信号の波形の周期性に応じて、様々な特徴が出現する。ここで、１つのＯＦＤＭ信号に着目すると、ＯＦＤＭ信号では、時間長がＴUのＯＦＤＭシンボルのうち、例えばそのシンボルの末尾の時間長ＴCP分の波形がシンボルの先頭にサイクリックプリフィックス（ＣＰ）として付加される。したがって、ＯＦＤＭ信号ｘ(ｔ)についてのｘ(ｔ)ｘ(ｔ−τ)においては、τ＝±ＴUにおいて、ＴU＋ＴCPの周期でピークが出現する。この結果、パラメータτ＝±ＴU及びα＝ｎ／（ＴU＋ＴCP）（ただし、ｎは整数）において、ＣＡＦはピークを有することとなる。また、これらの値以外のパラメータでは、ＣＡＦはピークを有しない（すなわち、ＣＡＦの値は０に近くなる）こととなる。
【００１４】
一方、複数のＯＦＤＭ信号を含む信号のＣＡＦの値がピークを有するパラメータ、及びピークにおけるＣＡＦの大きさ（絶対値）は、１つのＯＦＤＭ信号のＣＡＦの値がピークを有するパラメータと異なる。すなわち、ＣＡＦの値のピークが出現するパラメータとピークが出現しないパラメータとの組み合わせ及びＣＡＦのピークの絶対値が、観測信号に含まれる信号の数が１つの場合と複数の場合とで変化する。また、ＣＡＦの値のピークが出現するパラメータとピークが出現しないパラメータとの組み合わせ及びＣＡＦのピークの絶対値は、例えば２つの信号が含まれる信号においても、その２つの信号の受信タイミングの差の値によって変化する。したがって、観測信号に関してＣＡＦを導出し、その導出したＣＡＦの値のピークが出現するパラメータ（ピークの出現パターン）を特定することにより、観測信号に含まれる複数の信号の受信タイミングの差を推定することができる。
【００１５】
このため、本実施形態の端末１０２は、複数の信号の受信タイミングの差の値をパラメータとして、その複数の信号が同時に受信された場合のＣＡＦの値のピークの出現パターンを事前計算して、計算結果と受信タイミングの差との対応関係を記憶しておく。例えば、端末１０２は、２つの信号の受信タイミングの差が、１つのＯＦＤＭシンボルの１／８、１／４、３／８、及び１／２の長さに相当する場合について、それぞれのＣＡＦの値を所定の信号を用いて事前算出する。なお、受信タイミングの差が１つのＯＦＤＭシンボルの５／８、６／８、７／８である場合は、それぞれ、受信タイミングの差が１つのＯＦＤＭシンボルの３／８、２／８、１／８である場合と同等であるため、この事前計算が省略されうる。また、端末１０２は、さらに細かい間隔の受信タイミングの差ごとに、ＣＡＦのピークの出現パターンを算出して、受信タイミングの差の値とＣＡＦのピークの出現パターンとの対応関係を記憶しておいてもよい。
【００１６】
端末１０２は、（例えば複数の信号を含む）無線信号を観測し、その無線信号について、ＣＡＦの値を導出する。そして、端末１０２は、そのＣＡＦのピークが出現するパターンと、予め算出して記憶しておいた受信タイミングの差ごとのＣＡＦのピークの出現パターンとを比較する。端末１０２は、記憶されているＣＡＦのピークの出現パターンのうち、例えば、パターン間の差が最小または所定値以下となる１つのパターンを特定し、その１つのパターンに対応する受信タイミングの差を特定する。例えば、導出されたＣＡＦのピークの出現パターンが、記憶されたＣＡＦのピークの出現パターンのうち、受信タイミングの差がＯＦＤＭシンボルの１／４である場合のパターンに最も近い場合、端末１０２は、受信タイミングの差が１／４であると推定する。なお、導出された観測信号に関するＣＡＦのピークの出現パターンと、記憶されたＣＡＦのピークの出現パターンとの比較は、例えば、ＣＡＦのピークの絶対値に基づいて行われる。すなわち、導出されたＣＡＦのピークの絶対値と、記憶された出現パターンに係るＣＡＦのピーク値の絶対値とが比較される。また、この比較による推定は、相関値の計算や最小二乗誤差基準で行われうる。
【００１７】
なお、ＣＡＦのピークの出現パターンは、信号の特性によっても変化する。例えば、ＯＦＤＭ信号のシンボル長とサイクリックプリフィックスの長さの比に応じて、ＣＡＦのピークが出現するパラメータが変化する。したがって、端末１０２は、ＣＡＦの算出の前に、観測対象の無線信号に含まれる無線信号がどのような特性を有しているかを特定してもよい。なお、この特定は、事前に他の装置又は端末１０２の利用者等からの通知によってなされうる。また、この場合、端末１０２は、観測対象の無線信号に含まる可能性がある信号が有し得る特性ごとに、ＣＡＦのピークの出現パターンを事前計算し、それらの特性及び受信タイミングの差と計算結果との対応関係を記憶しておいてもよい。そして、端末１０２は、特定した信号の特性に応じて、記憶しておいたＣＡＦのピークの出現パターンのうち、いずれを参照すべきかを特定することにより、様々な特性の信号について、同様にして信号の受信タイミングを特定することができる。
【００１８】
また、ＣＡＦのピークの出現パターンは、信号の電力によって、すなわち、観測対象の無線信号に含まれる複数の信号の電力比によって、変化し得る。したがって、端末１０２は、受信タイミングの差の推定と同時に、観測対象の信号に含まれる複数の信号の電力比を推定することができる。なお、この場合、端末１０２は、複数の信号の電力比ごと、かつ、受信タイミングの差ごとに、ＣＡＦのピークの出現パターンを事前計算して、電力比及び受信タイミングの差と計算結果との対応関係を記憶しておく。そして、端末１０２は、記憶しておいたＣＡＦのピークの出現パターンと、観測信号について導出したＣＡＦのピークの出現パターンとを比較して、観測対象の信号に含まれる複数の信号の受信タイミングの差と同時に、これらの信号の電力比を推定する。
【００１９】
なお、端末１０２は、少なくとも受信タイミングの差を推定すると、その推定結果を、マクロセル基地局１０１とスモールセル基地局１０３との少なくともいずれかに通知する。そして、マクロセル基地局１０１とスモールセル基地局１０３との少なくともいずれかは、この通知を受けると、通知された受信タイミングの差に基づいて、自身における信号の送信タイミングを制御する。これにより、マクロセル基地局１０１とスモールセル基地局１０３との間で（少なくとも一定の精度で）時間同期が確立され、結果として、端末１０２が信号をこれらの基地局に送信する際の信号の直交性が担保されることとなる。その結果、端末１０２が送信する信号に関して、伝送品質の劣化を防ぐことが可能となる。
【００２０】
（端末の構成）
図２に端末１０２のハードウェア構成例を示す。なお、端末１０２は、上述のように、複数の信号を含む無線信号を観測して、少なくともその複数の信号の受信タイミングの差を推定する、推定装置として機能し、又は推定装置を含む。端末１０２は、図２に示すように、例えば、ＣＰＵ２０１、ＲＯＭ２０２、ＲＡＭ２０３、外部記憶装置２０４、及び通信装置２０５を有する。端末１０２では、例えばＲＯＭ２０２、ＲＡＭ２０３及び外部記憶装置２０４のいずれかに記録された、以下に示す端末１０２の各機能を実現するプログラムをＣＰＵ２０１により実行するような制御が行われる。そして、端末１０２は、通信装置２０５を用いて、無線信号の受信などの情報収集を行い、又は推定結果を基地局へ通知する。なお、図２では、端末１０２は、１つの通信装置２０５を有するとしているが、複数の通信装置を有してもよい。なお、通信装置２０５は、例えば、無線信号を受信するアンテナを含む。
【００２１】
なお、端末１０２は、以下に説明する各機能を実行する専用のハードウェアを備えてもよいし、一部をハードウェアで実行し、プログラムを動作させるコンピュータでその他の部分を実行してもよい。また、以下の全機能をコンピュータとプログラムにより実行させてもよい。
【００２２】
図３は、端末１０２の機能構成例を示すブロック図である。端末１０２は、例えば、観測部３０１、ＣＡＦ導出部３０２、推定部３０３、及び記憶部３０４を有する。観測部３０１は、場合によって複数の信号成分を含む無線信号を観測する。なお、観測部３０１は、例えば、無線信号のベースバンド信号又は中間周波数（ＩＦ）帯の信号への変換、無線信号のフィルタリング処理（ローパスフィルタ等による信号成分の抽出）等を行ってもよい。なお、ＣＡＦの導出においては、無線周波数（ＲＦ）成分は乗算処理によって除去されるため、これらの処理は行われなくてもよいが、これらの処理によって、他の周波数帯の信号の影響を低減して、無線品質の推定精度を向上させることができる。
【００２３】
ＣＡＦ導出部３０２は、観測された無線信号に対して、上述のようにＣＡＦを導出し、そのピークの出現パターンを取得する。なお、ＣＡＦの算出には、観測対象の無線信号が有し得る特性に応じて定まるパラメータが用いられる。なお、端末１０２は、観測対象となる無線信号が有し得る特性について、事前に知っており、特定の必要はないものとする。ＣＡＦ導出部３０２は、複数のパラメータについてＣＡＦの値を算出することにより、ＣＡＦのピークの出現パターンを得ることができる。
【００２４】
推定部３０３は、ＣＡＦ導出部３０２が導出した観測信号のＣＡＦのピークの出現パターンを、記憶部３０４に記憶されている、受信タイミングの差ごとのＣＡＦのピークの出現パターンと比較する。記憶部３０４には、例えば、受信タイミングの差の値と、１つの信号に含まれる複数の信号成分の受信タイミングの差がその値であったと仮定した場合のＣＡＦのピークの出現パターンとの対応関係が記憶されている。推定部３０３は、記憶部３０４に記憶されているＣＡＦのピークの出現パターンのうち、ＣＡＦ導出部３０２が導出した観測信号のＣＡＦのピークの出現パターンとの差が最小または所定値以下である１つのパターンを特定する。そして、推定部３０３は、特定した１つのパターンと対応する受信タイミングの差の値を、観測信号に含まれる複数の信号の受信タイミングの差として推定する。
【００２５】
なお、記憶部３０４は、上述のように、複数の信号が有し得る信号の特性ごとに、受信タイミングの差とＣＡＦのピークの出現パターンとの対応関係を記憶しておいてもよい。この場合、推定部３０３は、記憶された対応関係のうち、観測対象の信号が有する特性に関する対応関係のみを抽出して参照する。そして、推定部３０３は、その抽出された対応関係に基づいて、観測対象の無線信号に含まれる複数の信号成分の受信タイミング差を推定する。
【００２６】
また、記憶部３０４は、上述のように、複数の信号の電力比及び受信タイミングの差とＣＡＦのピークの出現パターンとの対応関係を記憶しておいてもよい。この場合、推定部３０３は、記憶されたＣＡＦのピークの出現パターンと、観測信号について導出されたＣＡＦのピークの出現パターンとを比較する。そして、推定部３０３は、例えば、記憶されたＣＡＦのピークの出現パターンのうち、導出されたＣＡＦのピークの出現パターンとの差が最小又は所定値以下の１つのパターンを特定する。推定部３０３は、最後に、特定した１つのパターンに対応する電力比と受信タイミングの差の値を特定し、その値を、観測対象の無線信号に含まれる複数の信号成分の電力比及び受信タイミングの差として、特定する。
【００２７】
なお、端末１０２は、不図示の通知部を有していてもよい。通知部は、上述の推定結果を、マクロセル基地局とスモールセル基地局との少なくともいずれか（すなわち、観測対象の無線信号に含まれる複数の信号の送信元の装置）に通知する。そして、マクロセル基地局とスモールセル基地局との少なくともいずれかは、その通知を受けると、通知された受信タイミングの差に基づいて、自らの信号の送信タイミングを制御する。これにより、端末１０２において、複数の信号の受信タイミングが一致又はその差が所定値以下となるため、その受信タイミングに応じて定まる、複数の基地局に対する送信信号の送信タイミングを一致させることが可能となる。この結果、端末１０２の送信する信号の伝送品質の劣化を防ぐことが可能となる。
【００２８】
以上のように、端末１０２は、複数の信号を含む観測対象の無線信号について、周期自己相関の値に基づいて、その受信タイミングの差を推定する。ここで、周期自己相関の値は、その導出に用いるサンプル数を増やすことにより、観測対象の信号の無線品質が低い場合であっても、明確なピークが出現する性質がある。したがって、周期自己相関の値に基づいて受信タイミングの差を推定することにより、例えば、マクロセル基地局とスモールセル基地局との少なくともいずれかからの信号の無線品質が良好でない場合であっても、受信タイミングの差を特定することができる。そして、この結果を観測信号に含まれる信号成分の送信元である基地局へ通知し、基地局がこの通知に応じて信号の送信タイミングを制御することで、基地局間の時間同期を確立することが可能となる。この結果、端末１０２が、複数の基地局に信号を同時に送信する場合であっても、それらの信号の直交性が崩れることがなくなり、その送信信号の伝送品質の劣化を防ぐことが可能となる。
【図１】
2016139858.tif 000004
【図２】
2016139858.tif 000005
【図３】
2016139858.tif 000006